(57)【要約】【課題】  急激な加熱に起因するサセプタの割れ、大型化による機械的強度の低下に起因するサセプタの割れを防止することが可能なサセプタ及びそれを用いた気相成長装置を提供する。【解決手段】  中央部の孔、及び周辺部に基板ホルダーを収納するための孔を有するサセプタであって、中央部の孔と外周端の間に、基板ホルダーを収納するための孔と接触しないようにスリットが設けられてなるサセプタとする。また、基板ホルダーを収納するためのサセプタ、該サセプタの対面、基板を加熱するためのヒータ、該サセプタと該サセプタの対面の間隙からなる反応炉、該反応炉へ原料ガスを供給する原料ガス導入部、及び反応ガス排出部を有する気相成長装置であって、前記のサセプタを用いた気相成長装置とする。【選択図】  図１
2014207357.tif 000002
【特許請求の範囲】
【請求項１】
中央部の孔、及び周辺部に基板ホルダーを収納するための孔を有するサセプタであって、中央部の孔と外周端の間に、基板ホルダーを収納するための孔と接触しないようにスリットが設けられてなることを特徴とするサセプタ。
【請求項２】
スリットの間隙が、０．５〜２０ｍｍである請求項１に記載のサセプタ。
【請求項３】
スリットが、中央部の孔と外周端を結ぶ最短線上に設けられた請求項１に記載のサセプタ。
【請求項４】
構成材料が、カーボン、パイロリティックグラファイト、グラッシカーボン、または、これらの材料をセラミック材料でコーティングしたものである請求項１に記載のサセプタ。
【請求項５】
大きさが、３インチ以上の基板を複数枚保持できるものである請求項１に記載のサセプタ。
【請求項６】
基板ホルダーを収納するためのサセプタ、該サセプタの対面、基板を加熱するためのヒータ、該サセプタと該サセプタの対面の間隙からなる反応炉、該反応炉へ原料ガスを供給する原料ガス導入部、及び反応ガス排出部を有する気相成長装置であって、サセプタが、中央部の孔、及び周辺部に基板ホルダーを収納するための孔を有し、該中央部の孔と外周端の間に、基板ホルダーを収納するための孔と接触しないようにスリットが設けられてなることを特徴とする気相成長装置。
【発明の詳細な説明】
【技術分野】
【０００１】
本発明は、急激な加熱に起因するサセプタの割れ、大型化による機械的強度の低下に起因するサセプタの割れを防止することが可能なサセプタ及びそれを用いた気相成長装置に関する。
【背景技術】
【０００２】
有機金属化合物気相成長法（ＭＯＣＶＤ法）は、分子線エピタキシー法（ＭＢＥ法）と並び窒化物半導体の結晶成長によく用いられる。特にＭＯＣＶＤ法は、ＭＢＥ法に比べて結晶成長速度も速く、またＭＢＥ法のように高真空装置等も必要ないことから、産業界の化合物半導体量産装置において広く用いられている。近年、青色または紫外ＬＥＤ及び青色または紫外レーザーダイオードの普及にともない、窒化ガリウム、窒化インジウムガリウム、窒化アルミニウムガリウムの量産性を向上させるために、ＭＯＣＶＤ法の対象となる基板の大口径化、多数枚化が数多く研究されている。
【０００３】
このような気相成長装置としては、例えば特許文献１〜５に示すように、基板（基板ホルダー）を保持するサセプタ、サセプタの対面、基板を加熱するためのヒータ、サセプタとサセプタの対面の間隙からなる反応炉、反応炉の中心部から周辺部に向かって原料ガスを供給する原料ガス導入部、及び反応ガス排出部を有する気相成長装置を挙げることができる。これらの気相成長装置においては、複数の基板ホルダーがサセプタに設けられるようにされており、モータ等の駆動手段及び回転伝達手段によってサセプタが自転するとともに、基板ホルダーが自公転する構成となっている。
【０００４】
このような気相成長装置を用いて気相成長を行なう際は、サセプタには気相成長に必要な加熱とともに回転駆動力がかかるので、これらに起因するサセプタの割れ（表面のひび、凹凸の発生、破損等を含む。以下同じ。）を防止する手段が開発されている。このような割れ防止手段としては、例えば特許文献６に示すように、凹形状のザグリが形成され、ウエーハ載置面を好ましい表面粗さに設定したサセプタ、また特許文献７に示すように、凹形状のザグリを好ましい形状に設定したサセプタ等が挙げられる。
【０００５】
【特許文献１】特開２００２−１７５９９２号公報
【特許文献２】特開２００７−９６２８０号公報
【特許文献３】特開２００７−２４３０６０号公報
【特許文献４】特開２００９−９９７７０号公報
【特許文献５】特願２０１１−９１３８８
【特許文献６】特開２００８−１８７０２０号公報
【特許文献７】特開２０１１−１４４０９１号公報
【発明の開示】
【発明が解決しようとする課題】
【０００６】
しかしながら、III族窒化物半導体の気相成長においては、気相成長温度が高く急激な加熱が要求されること、また基板の大型化及び多数枚同時成長によりサセプタの大型化が要求され、より優れたサセプタの割れ防止対策が必要となってきた。従って、本発明が解決しようとする課題は、急激な加熱に起因するサセプタの割れ、大型化による機械的強度の低下に起因するサセプタの割れを防止することが可能なサセプタ及びそれを用いた気相成長装置を提供することである。
【課題を解決するための手段】
【０００７】
本発明者らは、これらの課題を解決すべく鋭意検討した結果、前述のような気相成長において、中央部の孔と外周端の間に、基板ホルダーを収納するための孔と接触しないようにスリットを設ければ、サセプタにかかる応力が緩和され、急激な加熱に起因するサセプタの割れ、大型化による機械的強度の低下に起因するサセプタの割れを防止できることを見出し、本発明のサセプタ及びそれを用いた気相成長装置に到達した。
【０００８】
すなわち本発明は、中央部の孔、及び周辺部に基板ホルダーを収納するための孔を有するサセプタであって、中央部の孔と外周端の間に、基板ホルダーを収納するための孔と接触しないようにスリットが設けられてなることを特徴とするサセプタである。
また、本発明は、基板ホルダーを収納するためのサセプタ、該サセプタの対面、基板を加熱するためのヒータ、該サセプタと該サセプタの対面の間隙からなる反応炉、該反応炉へ原料ガスを供給する原料ガス導入部、及び反応ガス排出部を有する気相成長装置であって、サセプタが、中央部の孔、及び周辺部に基板ホルダーを収納するための孔を有し、該中央部の孔と外周端の間に、基板ホルダーを収納するための孔と接触しないようにスリットが設けられてなることを特徴とする気相成長装置である。
【発明の効果】
【０００９】
本発明のサセプタにおいては、中央部の孔と外周端の間に予めスリットを設けるので、サセプタを急激に加熱しても、サセプタを大型化しても、これらに起因するサセプタの割れを防止することができる。その結果、本発明のサセプタを用いた気相成長装置においては、サセプタの割れ発生によって気相成長が中断あるいは中止することなく、またサセプタを頻繁に交換することなく、基板の表面に効率よく気相成長を行なうことができる。
【発明を実施するための最良の形態】
【００１０】
本発明は、基板ホルダーを収納（保持）するためのサセプタに適用される。また、サセプタ、該サセプタの対面、基板を加熱するためのヒータ、該サセプタと該サセプタの対面の間隙からなる反応炉、該反応炉へ原料ガスを供給する原料ガス導入部、及び反応ガス排出部を有する気相成長装置に適用される。本発明における気相成長装置の例としては、ガリウム、インジウム、アルミニウムから選ばれる１種または２種以上の金属と、窒素との化合物からなる窒化物半導体の結晶成長を行なうための気相成長装置を挙げることができる。
【００１１】
以下、本発明のサセプタ及びそれを用いた気相成長装置について、図１〜図４に基づいて詳細に説明するが、本発明がこれらにより限定されるものではない。
尚、図１は本発明のサセプタの一例を示す平面の構成図である。図２、図３は本発明の気相成長装置の一例を示す垂直面の構成図である。（図２は、サセプタ回転板１３を回転させることにより、サセプタ５を回転させる機構を有する気相成長装置であり、図３は、サセプタ回転軸１４を回転させることにより、サセプタ５を回転させる機構を有する気相成長装置である。）図４は本発明のサセプタの回転機構の一例を示す構成図（サセプタ５とサセプタ回転板１３の形態の一例を示す構成図）である。
【００１２】
本発明のサセプタは、図１に示すように、中央部の孔１、及び周辺部に基板ホルダーを収納するための孔２を有するサセプタであって、中央部の孔１と外周端３の間に、基板ホルダーを収納するための孔と接触しないようにスリット４が設けられてなるサセプタである。
また、本発明の気相成長装置は、図２、図３に示すように、基板ホルダー５を収納するためのサセプタ６、該サセプタの対面７、基板を加熱するためのヒータ８、サセプタ６とサセプタの対面７の間隙からなる反応炉９、反応炉９へ原料ガスを供給する原料ガス導入部１０、及び反応ガス排出部１１を有する気相成長装置であって、サセプタ６が前記の本発明のサセプタである気相成長装置である。
【００１３】
以下、本発明のサセプタについて説明する。
本発明のサセプタは、特許文献１、特許文献３、特許文献５に記載されたサセプタと同様に、中央部に孔があり、周辺部に基板ホルダー（あるいは基板）を収納するための複数の孔を有するものである。そして、中央部の孔１と外周端３の間に、基板ホルダーを収納するための孔２と接触しないようにスリット４が設けられてなるサセプタである。本発明において、基板ホルダーを収納するための孔２の大きさについては特に限定されることはないが、特に３インチ以上の基板を複数枚保持する大きさの場合に、サセプタの割れを防止できる点で効果を発揮できる。中央部の孔１の大きさについても特に限定されることはない。
【００１４】
前記のスリットは、通常は中央部の孔１と外周端３を結ぶ最短線上に設けられる。スリットの間隙は、通常は０．５〜２０ｍｍ、好ましくは０．８〜５ｍｍである。スリットの間隙が０．５ｍｍ未満の場合は、割れ防止の効果が少なく、スリットの間隙が２０ｍｍを超える場合は、サセプタの機械的強度が低下する虞がある。また、スリットは、サセプタの厚み方向（垂直方向）に対して貫通される。サセプタに設けられる基板ホルダーを収納するための孔は、通常は４〜１０個であるが、特に限定されることはない。
【００１５】
尚、前記の中央部の孔１は種々の目的のために設けられる。例えば、特許文献５に記載されているような気相成長装置においては、サセプタの中央部に孔を設ければ、基板ホルダーを回転させるための基板ホルダー回転板の全部または一部をその孔に収納させることができる。この基板ホルダー回転板は、外部のモータからの回転力の伝達により回転し、また基板ホルダーと基板ホルダー回転の外周には歯車が設けられており、この歯車を介して基板ホルダー回転から基板ホルダーに回転力が伝達され基板ホルダーが回転する構成になっている。また、サセプタの中央部の孔に、垂直方向から導入される原料ガスを、均等に効率よく水平方向に分散させるための水平板を収納することもできる。
【００１６】
本発明のサセプタの大きさについては、特に制限されることはないが、通常は直径が２０〜１００ｃｍであり、特に３０ｃｍ以上である場合に割れを防止できる効果が発揮されやすい。サセプタの厚みはサセプタの直径、材質にもよるが、通常は３〜２０ｍｍである。サセプタの材質としては、カーボン、パイロリティックグラファイト（ＰＧ）、グラッシカーボン（ＧＣ）等のカーボン系材料、あるいはカーボン系材料をセラミック材料でコーティングしたもの（ＰＧコートカーボン、ＧＣコートカーボン、ＳｉＣコートカーボン等）が好ましいが、石英等の材質も使用することができ、特に限定されることはない。
【００１７】
次に、本発明の気相成長装置について説明する。
本発明の気相成長装置は、前述の本発明のサセプタを用いることが可能な気相成長装置であり、例えば、図２、図３に示すような気相成長装置である。
図２の気相成長装置は、サセプタ回転板１４を回転させることにより、サセプタ６を回転させる機構を有する気相成長装置である。このような気相成長装置においては、外周に歯車を有し外部のモータからの回転力の伝達により回転するサセプタ回転板１４が、図４に示すように、外周に歯車を有するサセプタと、歯車が噛合うように設置されている。そしてモータを駆動させることによりサセプタが回転する構成となっている。また、図３の気相成長装置は、サセプタ回転軸１５を回転させることにより、サセプタ６を回転させる機構を有する気相成長装置である。本発明の気相成長装置においては、基板、基板ホルダー等を回転する機構、方法について特に制限されることはない。
尚、図１に示すサセプタは外周に歯車がないが、このようなサセプタの外周に、外周側に歯車を有するリング状の部材を取付けて用いることができる。
【００１８】
本発明の気相成長装置において、サセプタ（基板）の対面７は、通常は基板とサセプタの対面の間隙が１０ｍｍ以内となるように、好ましくは基板の上流側の位置で８ｍｍ以内、かつ基板の下流側の位置で５ｍｍ以内となるように設定される。サセプタの対面７の材質としては、カーボン系材料、あるいはカーボン系材料をセラミック材料でコーティングしたもの、石英等を使用することができる。また、サセプタの対面７の内部に冷媒を流通する流路１３を設けて、気相成長の際にサセプタの対面７を冷却し、反応物がサセプタの対面７の表面に付着することを防止できるように設定することが可能である。
【００１９】
本発明の気相成長装置を用いて、例えばIII族窒化物半導体の気相成長を行なう場合は、原料ガスとなる有機金属化合物（トリメチルガリウム、トリエチルガリウム、トリメチルインジウム、トリエチルインジウム、トリメチルアルミニウム、トリエチルアルミニウム等）、アンモニア、及びキャリヤガス（水素、窒素等の不活性ガス、またはこれらの混合ガス）等は、図２、図３に示すように、外部からの原料ガス配管１２にから原料ガス導入部１０に供給され、さらに原料ガス導入部１０から反応炉９に導入される。反応後のガスは反応ガス排出部１１から外部に排出される。
【実施例】
【００２０】
次に、本発明を実施例により具体的に説明するが、本発明がこれらにより限定されるものではない。
【００２１】
［実施例１］    
（サセプタの製作）
中央部に直径２０ｃｍの孔、周辺部に直径１７ｃｍの孔を６個有し、直径８０ｃｍ、厚さ８〜１５ｍｍ（表面に凹凸あり）である図１に示すような円板状のサセプタ（ＳｉＣコートカーボン製）を製作した。このサセプタの中央部の孔と外周端との間には、間隙が２．５ｍｍのスリットが設けられている。また、スリットは、中央部の孔と外周端を結ぶ最短線上に設けられている。
【００２２】
（気相成長装置の製作）
ステンレス製の反応容器の内部に、前記のサセプタ、冷媒を流通する構成を備えたサセプタの対面（ＳｉＣコートカーボン製）、ヒータ、原料ガスの導入部（カーボン製）、反応ガス排出部等を設けて、図２に示すような気相成長装置を製作した。また、６インチサイズのサファイアからなる基板を保持した基板ホルダー６個を、基板の位置における対面との間隙が１０ｍｍ以下となるようにサセプタにセットした。尚、冷媒を流通する流路として、配管１本を中心部から周辺部に向かって渦巻き状に配置した。
【００２３】
（サセプタの昇温実験）
このような気相成長装置を用いて、以下のようにサセプタの昇温実験を行ないサセプタの割れが発生するか否か調査した。対面の冷却用配管への冷却水循環を開始した後、基板を１０ｒｐｍ、サセプタを１ｒｐｍの回転速度で回転させながら、原料ガス導入部から窒素を流すとともに、サセプタ（基板）表面の温度を、６０℃／ｍｉｎの昇温速度で１０５０℃まで上昇させた。前記の温度を１時間維持した後、ヒータの電源を切り、サセプタの温度を室温まで下げた。このような操作を１０回繰り返した。その結果、サセプタの割れは発生しなかった。
【００２４】
［実施例２、３］         
実施例１のサセプタの製作において、スリットの間隙を各々１．５ｍｍ、５ｍｍに変更したほかは実施例１と同様にしてサセプタを製作した。
これらのサセプタを用いたほかは実施例１と同様にして気相成長装置を製作し、サセプタの昇温実験を行なった。その結果、いずれの実施例の場合もサセプタの割れは発生しなかった。
【００２５】
［実施例４］        
実施例１のサセプタの製作において、周辺部の孔を直径１２ｃｍのもの１０個に変更したほかは実施例１と同様にしてサセプタを製作した。スリットは間隙が２．５ｍｍであった。
このサセプタを用い、４インチサイズのサファイアからなる基板をセットしたほかは、実施例１と同様にして気相成長装置を製作し、サセプタの昇温実験を行なった。その結果、サセプタの割れは発生しなかった。
【００２６】
［比較例１］    
実施例１のサセプタの製作において、スリットを設けなかったほかは実施例１と同様にしてサセプタを製作した。
このサセプタを用いたほかは実施例１と同様にして気相成長装置の製作し、サセプタの昇温実験を行なった。その結果、１回目のサセプタの昇温実験でサセプタの割れが発生したので実験を中止した。気相成長装置からサセプタを取出し調査した結果、中央部の孔と周辺部のうち２個の孔との間に割れが発生していることが確認された。
【００２７】
［比較例２］    
比較例１の昇温実験において、サセプタの昇温速度を４０℃／ｍｉｎに低下させたほかは比較例１と同様にして昇温実験を行なった。その結果、４回目のサセプタの昇温実験でサセプタの割れが発生したので実験を中止した。気相成長装置からサセプタを取出し調査した結果、中央部の孔と周辺部のうち１個の孔との間に割れが発生していることが確認された。
【００２８】
［比較例３］    
実施例４のサセプタの製作において、スリットを設けなかったほかは実施例４と同様にしてサセプタを製作した。
このサセプタを用いたほかは実施例４と同様にして気相成長装置の製作し、サセプタの昇温実験を行なった。その結果、３回目のサセプタの昇温実験でサセプタの割れが発生したので実験を中止した。気相成長装置からサセプタを取出し調査した結果、中央部の孔と周辺部のうち１個の孔との間に割れが発生していることが確認された。
【００２９】
以上の通り、本発明のサセプタは、急激に加熱しても、大型化しても、これらに起因する割れを防止することができることが確認された。また、本発明の気相成長装置は、サセプタが割れにくいので、割れ発生による気相成長の中断あるいは中止をすることなく、またサセプタを頻繁に交換することなく、基板の表面に効率よく気相成長を行なうことができることが確認された。
【図面の簡単な説明】
【００３０】
【図１】本発明のサセプタの一例を示す平面の構成図
【図２】本発明の気相成長装置の一例を示す垂直面の構成図
【図３】本発明の図２以外の気相成長装置の一例を示す垂直面の構成図
【図４】本発明のサセプタの回転機構の一例を示す構成図
【符号の説明】
【００３１】
１  中央部の孔
２  基板ホルダーを収納するための孔
３  外周端
４  スリット
５  基板ホルダー
６  サセプタ
７  サセプタの対面
８  ヒータ
９  反応炉
１０  原料ガス導入部
１１  反応ガス排出部
１２  原料ガス配管
１３  冷媒を流通する流路
１４  サセプタ回転板
１５  サセプタ回転軸
【図１】
2014207357.tif 000003
【図２】
2014207357.tif 000004
【図３】
2014207357.tif 000005
【図４】
2014207357.tif 000006